(57)【特許請求の範囲】
【請求項１】
ハンドセットインタフェースを介してＤＴＭＦ信号やフック情報などの特定信号を処理可能な電話機の前記ハンドセットインタフェースを介して電話回線に接続可能な通報装置であって、
アナログ端末を接続するアナログ端末接続手段と、電話回線に接続された前記電話機の前記ハンドセットインタフェースに自通報装置を接続するハンドセットインタフェース接続手段と、前記アナログ端末のオンフックまたはオフフックを検出するフック検出手段と、通報先の電話番号を登録する通報先電話番号登録手段と、所定の通報先に自動的に発信する自動発信手段と、前記フック検出手段がオフフックを検出してからの経過時間を計測するオフフック経過時間計測手段を有し、
前記フック検出手段が前記アナログ端末のオフフックを検出した後、予め定められた時間が経過しても、当該アナログ端末からのダイアル信号またはオンフックのいずれかをも検出しなかった場合に、所定の通報先に緊急事態である旨を、前記ハンドセットインタフェース接続手段を介して自動的に通報することを特徴とする電話回線に接続可能な通報装置。
【請求項２】
請求項１に記載の通報装置であって、
通報ボタン装置と接続するための通報ボタン装置接続手段をさらに有し、
前記通報ボタン装置接続手段から緊急通報を要求する信号を受信した場合に、所定の通報先に緊急事態である旨を自動的に通報することを特徴とする電話回線に接続可能な通報装置。
【請求項３】
請求項１または２に記載の通報装置であって、
日時または曜日によって通報先が異なるスケジュール登録手段をさらに有することを特徴とする電話回線に接続可能な通報装置。
【発明の詳細な説明】
【技術分野】
【０００１】
本発明は、緊急時に使用する電話機のハンドセットインタフェースに接続する電話回線に接続可能な通報装置に関する。
【背景技術】
【０００２】
従来から、ターミナルアダプタの機能と通報の機能を併せ持つ通報装置がある（例えば、特許文献１）。特許文献１で開示されている装置は、アナログ回線やＩＳＤＮ回線と電話端末の間に挿入されるものであり、電話端末にアナログ入力端子が在るのが前提になっている。しかしながら、光ファイバ回線に直接繋がる光電話機等ではアナログ入力端子が無く、アナログ対応通報装置を接続できないケースがあった。
【特許文献１】特開２００２−１１１９０３号公報
【発明の開示】
【発明が解決しようとする課題】
【０００３】
本発明は、光電話機等のアナログ入力端子の無い電話機に対しても、電話機側を改造することなく接続可能な通報装置を提供することにある。
【課題を解決するための手段】
【０００４】
本発明の通報装置は、ハンドセットインタフェースを介してＤＴＭＦ信号やフック情報などの特定信号を処理可能な電話機の前記ハンドセットインタフェースを介して電話回線に接続可能な通報装置であって、アナログ端末を接続するアナログ端末接続手段と、電話回線に接続された前記電話機の前記ハンドセットインタフェースに自通報装置を接続するハンドセットインタフェース接続手段と、前記アナログ端末のオンフックまたはオフフックを検出するフック検出手段と、通報先の電話番号を登録する通報先電話番号登録手段と、所定の通報先に自動的に発信する自動発信手段と、前記フック検出手段がオフフックを検出してからの経過時間を計測するオフフック経過時間計測手段を有し、前記フック検出手段が前記アナログ端末のオフフックを検出した後、予め定められた時間が経過しても、当該アナログ端末からのダイアル信号またはオンフックのいずれかをも検出しなかった場合に、所定の通報先に緊急事態である旨を、前記ハンドセットインタフェース接続手段を介して自動的に通報することを特徴とする。
【発明の効果】
【０００５】
本発明によれば、光電話機等のアナログ入力端子の無い電話機に対しても接続可能な通報装置を提供することができる。
【発明を実施するための最良の形態】
【０００６】
以下に、本発明の実施の形態について、図面を用いて説明する。
【実施例１】
【０００７】
図１は、本発明の通報装置を含む全体のシステム構成図である。図１において、１は光回線、２は光電話機、３は通報装置、４はアナログ端末、５は通報ボタン装置、６はモジュラジャック増設アダプタ、２１はハンドセットを示している。
光回線１は、ＦＴＴＨ等の光回線であり、公衆網やＩＰ網に接続される。
光電話機２は、光回線に接続可能な光電話機であり、ハンドセットモジュラーを有している。また、ハンドセットモジュラーを介して送られてくるＤＴＭＦ信号などの特定信号を処理可能な電話機である。
【０００８】
アナログ端末４は、本発明の通報装置３を介して光電話機２に接続され、アナログ端末４と通報装置３、および通報装置３と光電話機２の間はアナログ回線で接続される。光電話機２は光回線１と接続され、公衆網やＩＰ網など外部ネットワークに接続される。通報装置３はアナログ端末４のフック情報を検出すると、光電話機２に中継してフック情報を送出し、光電話機２はフック情報を検出すると光回線を捕捉する。これにより、アナログ端末４を使った光回線での発信が可能となる。さらに、通報装置３に特定の通報先を登録しておくことで、光回線を用いた通報が可能となる。
【０００９】
ここで、光電話機２の従来の通話ではハンズフリーでしか通話できないが、光電話機２のハンドセットモジュール２１と通報装置３の間に、図中のモジュラジャック増設アダプタ６を接続することにより、光電話機２でのハンドセット通話が可能となるが、光電話機２の通話をハンズフリーでのみ使用する場合、モジュラジャック増設アダプタ６は不要である。また、モジュラジャック増設アダプタ６は、通報装置３に組み込まれていてもよい。
【００１０】
また、本発明の通報装置３は、通報ボタン装置５を接続する機能を有し、通報ボタン装置５は緊急用のボタン装置であり、有線または無線通信機能を有している。通報ボタン装置５と接続することで有線または無線での緊急通報が可能となる。
【００１１】
図２は、本発明の通報装置を含む機能ブロック図である。図２において、６はモジュラジャック増設アダプタ、２１はハンドセット、３１はハンドセットインタフェース接続部、３２はフック情報送出部、３３はＤＴＭＦ送出部、３４はハンズフリー切替コマンド送出部、３５は通報メッセージ送出部、３６はＤＴ／ＢＴ検出部、３７はＤＴＭＦ信号生成部、３８は通報先電話番号登録部、３９は通報メッセージ記憶部、４０はスケジュール登録部、４１はＤＴ／ＢＴ送出部、４２は制御部、４３はタイマ処理部、４４はフック検出部、４５はＤＴＭＦ検出部、４６は通報ボタン検出部、４７は通報ボタン装置接続インタフェース部を示し、ハンドセットインタフェース接続部に光電話機２が接続される。
【００１２】
ハンドセットインタフェース接続部３１は、光電話機２のハンドセットインタフェースに接続する。フック情報送出部３２は、アナログ端末４からのオンフック、オフフックを検出をしたとき、光電話機２にフック情報を送出する。
【００１３】
ＤＴＭＦ送出部３３は、アナログ端末４からのＤＴＭＦ信号または通報先相手番号登録部にあるＤＴＭＦ信号を送出する。ハンズフリー切替コマンド送出部３４は、本装置から緊急通報を行った際、光電話機２をハンズフリー状態にするためのコマンドを送出する。通報メッセージ送出部３５は、通報先と通話開始した際、通報メッセージ記憶部にある通報メッセージを送出する。ＤＴ／ＢＴ検出部３６は、光電話機２からＤＴ／ＢＴを検出する。ＤＴＭＦ信号生成部３７は、光電話機２に送出するＤＴＭＦ信号を生成する。
【００１４】
通報先電話番号登録部３８は、緊急通報先のＤＴＭＦ信号を記憶する。通報メッセージ記憶部３９は、通報先と通話開始した際に送出する通報メッセージを記憶する。スケジュール登録部４０は、曜日、時間帯別に通報先を登録する。
【００１５】
ＤＴ／ＢＴ送出部４１は、光電話機２からのＤＴ／ＢＴをアナログ端末４に送出する。制御部４２は、本装置の制御を行う。
【００１６】
タイマ処理部４３は、フック検出部よりアナログ端末４からのオフフックを検出すると、タイマをスタートさせる。フック検出部４４は、アナログ端末４のオンフック、オフフックを検出する。
【００１７】
ＤＴＭＦ検出部４５は、アナログ端末４からのＤＴＭＦ信号を検出する。通報ボタン検出部４６は、通報ボタンインタフェースからの通報ボタンを検出する。具体的には通報ボタン装置５の通報ボタンが押下され通報ボタンを検出すると、制御部４２とスケジュール登録部４０が連携して通報先電話番号登録部３８に記憶されている通報先を抽出し、ＤＴＭＦ生成部３７に送る。ＤＴＭＦ生成部３７は通報先に応じてＤＴＭＦ信号を生成し、制御部４２を介してＤＴＭＦ送出部３３に送る。ＤＴＭＦ送出部３３は、ハンドセットインタフェース接続部３１とモジュラジャック増設アダプタ６を介して光電話機２にＤＴＭＦ信号を送出する。応答を検出すると制御部４２は、通報メッセージ記憶部３９に記憶されている通報メッセージを抽出し、生業部４２及び通報メッセージ送出部３５を介して光回線に音声を送信する。
【００１８】
図３は、本発明の通報装置の動作のフローチャートである。図３において、電源が投入され本機能の動作を開始する（Ｓ３０１）と、アナログ端末４がユーザのオフフック操作を、フック検出部でオフフック操作されるのを待つ（Ｓ３０２）。オフフック操作がされない場合、通報ボタンインタフェースに接続されている通報ボタン装置から通報ボタンが押下されたか否かの検出を行う。
フック検出部によりオフフック操作が検出されると、タイマ処理部にてタイマをスタートする（Ｓ３０３）。タイマスタートから、一定時間内にアナログ端末４よりＤＴＭＦ信号を送出した場合、ＤＴＭＦ検出部にてＤＴＭＦ信号を検出し、通常発信を行う（Ｓ３０４）。
【００１９】
また、タイマスタートから、一定時間内にアナログ端末４がオンフックの操作を行うと、フック検出部にてオンフックを検出し、終了となる（Ｓ３０５）。
【００２０】
タイマスタートから、一定時間内にアナログ端末４よりＤＴＭＦ信号送出、オンフックの操作がない場合、タイマはタイムアウトし（Ｓ３０６）、ステップ３０８に移行する。これにより、アナログ端末４のボタン操作ができない場合にもオフフック操作だけで緊急通報することが出来る。タイマがタイムアウトすると（Ｓ３０６：ＹＥＳ）、スケジュール登録部に登録されているスケジュールを確認する（Ｓ３０８、Ｓ３０９）。
【００２１】
スケジュール表には曜日、時間により予め通報先が登録されているため、ＤＴＭＦ生成部はスケジュール表により決められた通報先のＤＴＭＦ信号を生成し、ＤＴＭＦ送出部に送出する（Ｓ３１０、Ｓ３１６、Ｓ３２２）。
【００２２】
メモリ内のＤＴＭＦ信号を発信した後、応答がない場合は、３回までリトライをする（Ｓ３１２、Ｓ３１８、Ｓ３２４）。
【００２３】
応答があった場合、まず通報メッセージ記憶部にある固定メッセージを送出する（Ｓ３１３、Ｓ３１９、Ｓ３２５）。
【００２４】
次に、ハンズフリー切替コマンド送出部より光電話機２にコマンドを送出し、光電話機２での通話をハンズフリー状態にする（Ｓ３１４、Ｓ３２０、Ｓ３２６）。ハンズフリー状態になった後、通話→終了となる（Ｓ３１５、Ｓ３２１、Ｓ３２７）。
【図面の簡単な説明】
【００２５】
【図１】図１は、本発明の通報装置を含む全体のシステム構成図である。
【図２】図２は、本発明の通報装置を含む機能ブロック図である。
【図３】図３は、本発明の通報装置の動作のフローチャートである。
【符号の説明】
【００２６】
１    光回線
２    光電話機
３    通報装置
４    アナログ端末
５    通報ボタン装置
６    モジュラジャック増設アダプタ
２１    ハンドセット
３１    ハンドセットインタフェース接続部
３２    フック情報送出部
３３    ＤＴＭＦ送出部
３４    ハンズフリー切替コマンド送出部
３５    通報メッセージ送出部
３６    ＤＴ／ＢＴ検出部
３７    ＤＴＭＦ信号生成部
３８    通報先電話番号登録部
３９    通報メッセージ記憶部
４０    スケジュール登録部
４１    ＤＴ／ＢＴ送出部
４２    制御部
４３    タイマ処理部
４４    フック検出部
４５    ＤＴＭＦ検出部
４６    通報ボタン検出部
４７    通報ボタン装置接続インタフェース部
【図１】
0005245328.tif 000002
【図２】
0005245328.tif 000003
【図３】
0005245328.tif 000004